(57)【要約】      （修正有）【課題】簡便な構造で長期間に亘り安定設置可能な、ガーデン支柱を提供すること。【解決手段】埋め込み部に孔を設けた円筒状の支柱部材３と該支柱部材の埋め込み部に固定される貫通孔を有する固定片４と該固定片の貫通孔に貫通させた少なくとも２本の外脚と該支柱部材の孔と係合する外脚間に設けられた外脚よりも短い内脚とを有するＵ字形ボルトと該Ｕ字形ボルトの外脚を締め付け該固定片を固定する締め付け部材６とからなる。【選択図】図３
0003110948.tif 000002
【実用新案登録請求の範囲】
【請求項１】
埋め込み部に孔を設けた支柱部材と該支柱部材の埋め込み部に固定される貫通孔を有する固定片と少なくとも２本の脚を有し該脚を該支柱部材の孔又は該固定片の貫通孔に貫通させたボルトと該ボルトの脚を締め付け該固定片を支柱部材に固定する締め付け部材とからなることを特徴とする支柱。
【請求項２】
埋め込み部に孔を設けた支柱部材と該支柱部材の埋め込み部に固定される貫通孔を有する固定片と該固定片の貫通孔に貫通させた少なくとも２本の外脚と該支柱部材の孔と係合する外脚間に設けられた外脚よりも短い内脚とを有するボルトと該ボルトの外脚を締め付け該固定片を支柱部材に固定する締め付け部材とからなることを特徴とする支柱。
【請求項３】
埋め込み部に孔を設けた円筒状の支柱部材と該支柱部材の埋め込み部に固定される貫通孔を有する固定片と該固定片の貫通孔に貫通させた少なくとも２本の外脚と該支柱部材の孔と係合する外脚間に設けられた外脚よりも短い内脚とを有するＵ字形ボルトと該Ｕ字形ボルトの外脚を締め付け該固定片を支柱部材に固定する締め付け部材とからなることを特徴とする支柱。
【請求項４】
埋め込み部に固定片の高さ程度の間隔を保持した２つの孔を設けた円筒状の支柱部材と該支柱部材の埋め込み部に固定される支柱部材の外径分離れた位置に設けられた２つの貫通孔を有する固定片と該固定片の貫通孔に貫通する２本の脚と該支柱部材の孔を貫通する２本の脚とを有するボルトと該ボルトの脚を締め付け該固定片を支柱部材に固定する締め付け部材とからなることを特徴とする支柱。
【請求項５】
固定片が支柱部材の鉛直方向に複数段設けられ、少なくとも２つの段の固定片が平行とならない配置とされたことを特徴とする請求項１から４のいずれか１つに記載の支柱。
【請求項６】
固定片が支柱部材の鉛直方向に３段設けられ、それぞれの段の固定片がほぼ等間隔の角度を保つように配置されたことを特徴とする請求項５に記載の支柱。
【考案の詳細な説明】
【技術分野】
【０００１】
本考案は、支柱の構造に関する。特に家庭で用いられるガーデニング用の支柱やポストの支柱などの通常、屋外に設置される支柱に関するものである。
【背景技術】
【０００２】
従来からガーデニング用の支柱や郵便ポストなどのように、家庭内で支柱を立設し植物の枝や蔓などを固定したり、ポストなどの用品を固定したりする支柱が用いられている。
それらは地上に立設される地上部と地中に埋設される埋め込み部とからなり、地上部の支柱には、フックや網やバスケットなどの園芸用品またはポストや表示用品などの様々な用品が固定されている。
【０００３】
また、地中に埋設される埋め込み部は通常地面に挿入されて固定されている。（例えば、特許文献１参照）。
【特許文献１】特開２００３−２４５０１７号公報
【考案の開示】
【考案が解決しようとする課題】
【０００４】
前述した支柱ではプラスチック製の差込み具を有し、支柱の下端を突出する構成となっている。そのために支柱は水平方向に回転可能で、方向が変えられるようになっている。
上記の構造では長期間に亘る支柱の安定感が得にくいものであり、支柱と地上部に設置される用品の重さも限られてしまう。
【０００５】
また、鉛直方向には規制部材がないため水平方向の移動だけでなく、支柱の鉛直方向の移動も生じやすい構成となっている。
【０００６】
本考案は、上記の事情に鑑みてなされたもので、安価で簡便な構造で長期間に亘り安定設置可能な支柱を提供することを目的とする。
【課題を解決するための手段】
【０００７】
前記課題を解決するため請求項１記載の考案にあっては、埋め込み部に孔を設けた支柱部材と該支柱部材の埋め込み部に固定される貫通孔を有する固定片と少なくとも２本の脚を有し、該脚を該支柱部材の孔又は該固定片の貫通孔に貫通させたボルトと該ボルトの脚を締め付け該固定片を支柱部材に固定する締め付け部材とからなる。
【０００８】
また、請求項２記載の考案にあっては、埋め込み部に孔を設けた支柱部材と該支柱部材の埋め込み部に固定される貫通孔を有する固定片と該固定片の貫通孔に貫通させた少なくとも２本の外脚と該支柱部材の孔と係合する外脚間に設けられた外脚よりも短い内脚とを有するボルトと該ボルトの外脚を締め付け該固定片を支柱部材に固定する締め付け部材とからなる。
【０００９】
また、請求項３記載の考案にあっては、埋め込み部に孔を設けた円筒状の支柱部材と該支柱部材の埋め込み部に固定される貫通孔を有する固定片と該固定片の貫通孔に貫通させた少なくとも２本の外脚と該支柱部材の孔と係合する外脚間に設けられた外脚よりも短い内脚とを有するＵ字形ボルトと該Ｕ字形ボルトの外脚を締め付け該固定片を支柱部材に固定する締め付け部材とからなる。
【００１０】
また、請求項４記載の考案にあっては、埋め込み部に固定片の高さ程度の間隔を保持した２つの孔を設けた円筒状の支柱部材と該支柱部材の埋め込み部に固定される支柱部材の外径分離れた位置に設けられた２つの貫通孔を有する固定片と該固定片の貫通孔に貫通する２本の脚と該支柱部材の孔を貫通する２本の脚とを有するボルトと該ボルトの脚を締め付け該固定片を支柱部材に固定する締め付け部材とからなる。
【００１１】
また、請求項５記載の考案にあっては、固定片が支柱部材の鉛直方向に複数段設けられ、少なくとも２つの段の固定片が平行とならない配置とされたことからなる。
【００１２】
また、請求項６記載の考案にあっては、固定片が支柱部材の鉛直方向に３段設けられ、それぞれの段の固定片がほぼ等間隔の角度を保つように配置されたことからなる。
【考案の効果】
【００１３】
請求項１に記載の考案によれば、安価で簡単に支柱を安定させることができる。
【００１４】
請求項２に記載の考案によれば、安価で簡単に支柱を安定させることができる。
また、内脚が支柱部材の孔と係合する構造であるので、水平方向、鉛直方向の移動を制限することができ、頑丈な支柱を提供することができる。
【００１５】
請求項３に記載の考案によれば、安価で簡単に支柱を安定させることができる。
また、Ｕ字形ボルトに設けられた内脚が円筒状の支柱部材の孔と係合する構造であるので、水平方向、鉛直方向の移動をより強固に制限することができ、頑丈な支柱を提供することができる。
【００１６】
請求項４に記載の考案によれば、安価で簡単に支柱を安定させることができる。
固定片の貫通孔に貫通させた２本の脚と支柱部材の孔を貫通する脚とをボルトで締め付ける構造であるので、水平方向、鉛直方向の移動をより強固に制限することができ、頑丈な支柱を提供することができる。
【００１７】
請求項５に記載の考案によれば、固定片が支柱部材の鉛直方向に複数段設けられ、少なくとも２つの段の固定片が平行とならない配置としたから頑丈な支柱を提供することができる。
【００１８】
請求項６に記載の考案によれば、固定片が支柱部材の鉛直方向に三段設けられ、それぞれの段の固定片がほぼ等間隔の角度を保つように配置されたので、より頑丈な支柱を提供することができる。
【考案を実施するための最良の形態】
【００１９】
以下、本考案の一実施形態を図に従って説明する。図１は本考案の支柱を用いた園芸用支柱の全体図であり、図２は本考案の第一の実施形態の支柱埋め込み部を示し、図３は本考案の第二の実施形態の支柱埋め込み部を示し、図４は図３における固定片の配置構成を示す概略図を示し、図５は本考案の第三の実施形態の支柱埋め込み部を示している。
【００２０】
（第一の実施形態）
図１及び図２に示すように、本考案の支柱は地上部１と埋め込み部２とからなっている。地上部には植物の枝や蔓などを固定するためのガイド部材１１が設けてある。そして、埋め込み部は支柱を地面に固定するために地面に埋め込まれる部分であり、埋め込み部には固定片が設けられている。
【００２１】
支柱は１本又は２本以上の支柱部材３を組み合わせたもので、中空角型の金属パイプや丸型の金属パイプなどを用いることができる。支柱部材３の埋め込み部には固定片を固定するための孔が前面から裏面に貫通して設けられている。
【００２２】
また、パイプの外径は１Ｃｍから１０Ｃｍ程度が実用上好ましい。支柱部材は全長１００Ｃｍから２１０Ｃｍ程度で、地上部の高さは８０Ｃｍから１５０Ｃｍ、埋め込み部は２０Ｃｍから６０Ｃｍ程度が好ましい。
【００２３】
支柱の埋め込み部に固定される固定片は、横幅が２０Ｃｍから１００Ｃｍ、高さが１Ｃｍから２０Ｃｍ程度の金属で作られた短冊状のプレートであり、中央付近に貫通孔４１を有している。
【００２４】
また、本実施形態では支柱部材と固定片を固着するためにＵ字形のボルトと締め付け部材を用いる。Ｕ字形のボルトの先端部にはネジ山が形成されている。締め付け部材６としてはＵ字形のボルトの先端部と対応した溝が設けられた蝶ナットなどを用いることができる。
【００２５】
以上の構成を組立てて本考案の支柱を形成する。まず、パイプ部材の埋め込み部に設けられた孔と固定片の一方の貫通孔の位置を一致させ、双方の孔にＵ字形ボルトの脚を挿入する。本実施の形態ではＵ字形のボルトの一方の脚５１は固定片４の貫通孔４１のみを貫通し、他方の脚５２は支柱部材の孔２１を貫通させた後、固定片の貫通孔を貫通させる。パイプ部材と固定片はＵ字形のボルトの両脚先端部に蝶ナット６を締め付けることで一体に固定される。
【００２６】
上記で形成された支柱は地面に埋められて設置される。地面には事前に固定片が埋められる深さと幅の穴を準備し、穴に支柱を立設させた後、穴に固定片周辺の土を埋め戻し、固定片上方の地面を踏み固めることで、水平方向、鉛直方向の移動を規制することができる。そのために簡単な部品のみで支柱を安定させることができる。
【００２７】
本実施形態ではガイド部材を例示したが、地上部にはガーデン用品や郵便ポストや表示部品などの用品を固定することが可能である。
【００２８】
（第二の実施形態）
図３及び図４は第二の実施形態を示している。支柱は１本又は２本以上の支柱部材３を組み合わせたもので、中空の断面が角型の金属パイプや断面が丸型の金属パイプなどを用いることができる。特に断面が丸型の円筒状のパイプは後述する理由から支柱に適している。
【００２９】
本実施形態では支柱部材３の埋め込み部には固定片を固定するための孔が一方側のみに設けられており他方側に貫通していない。また孔２１は支柱部材の高さ方向に１０Ｃｍずつ離れた状態で、かつ角度がそれぞれ平行とならないように１２０度ずらした状態で３段設けられている。（図３，４）この場合の角度は支柱を上面から見た場合の固定片間の角度を意味し、支柱部材を中心にして、略等しい角度の配置となるように設定する。そしてこの角度は固定片の枚数に応じて変更することができる。
【００３０】
本実施形態では支柱部材と固定片を固着するために、異形のＵ字形のボルトを用いる。本実施形態のＵ字形のボルトは固定片の貫通孔に貫通させる２本の外脚５１と支柱部材の孔と係合する外脚間に設けられた外脚５１よりも短い内脚５２とを有する。そして外脚の先端部にはネジ山が形成されている。
その他の部分は第一の実施形態と同様の構成である。
【００３１】
以上の構成を組立てて本実施形態の支柱を形成する。まず、最下段のパイプ部材の埋め込み部に設けられた孔と固定片の貫通孔の高さを一致させ、パイプの孔の両側に固定片の貫通孔４１を配置する、Ｕ字形のボルトの外脚５１を固定片の貫通孔に貫通し、短い内脚をパイプの孔に挿入する。そして、Ｕ字形のボルトの外脚先端部に蝶ナット６を締め付けることでパイプに固定片を一体に固定する。同様の方法で中段、上段にも固定片が平行とならないように角度を１２０度ずつずらした状態で配置する。
【００３２】
上記で形成された支柱は第一の実施形態と同様に地面に埋められて安定設置される。この場合、Ｕ字形ボルトの内脚がパイプ孔に嵌合しているから、Ｕ字形のボルトの外脚先端部に蝶ナット６を締め付けることで水平方向、鉛直方向の移動を十分に規制することができる。
【００３３】
また、丸型の円筒状のパイプはＵ字形のボルトの内側と曲面同士で接するためより強固に固定することができる。また両者の曲率がほぼ同じ場合には固定に特に適している。
【００３４】
多段で、固定片の設置角度を均等に配置した構造にあっては、あらゆる方向からの外力にも対抗することができ、より安定した支柱の設置ができる。本実施形態では、簡単な部品のみで支柱を安定させることができる。
【００３５】
（第三の実施形態）
図５は本考案の第三の実施形態を示している。支柱埋め込み部のパイプには固定片を固定するための前面から裏面に貫通した孔４１１が２つ設けられている。その孔は固定片の高さ程度の間隔を有して設けられている。
【００３６】
支柱の埋め込み部に固定される固定片は、中央付近に２つの貫通孔を有している。その貫通孔はパイプの外径分だけ離れた位置に設けられている。
【００３７】
また、本実施形態では支柱部材と固定片を固着するために、固定片の貫通孔に貫通させた２本の脚５１１と該支柱の孔を貫通する脚５２２とを有するボルトを用いる。
それぞれのボルト脚の先端部にはネジ山が形成されている。その他の部分は第一の実施形態と同様である。
【００３８】
以上の構成を組立てて本考案の支柱を形成する。まず、パイプ部材の埋め込み部に設けられた２つ孔と固定片の２つの貫通孔が重ならないようにパイプと固定片を配置し両者の孔にＵ字形ボルトの４脚をそれぞれ貫通させる。その後、Ｕ字形のボルト脚の先端部に蝶ナット６を締め付けることで支柱と固定片は一体に固定される。
【００３９】
本実施形態では、簡単な部品のみで支柱を頑丈に固定させることができた。
【図面の簡単な説明】
【００４０】
【図１】は本考案の支柱を用いた園芸用支柱の全体図である。
【図２】は本考案の第一の実施形態の支柱埋め込み部である。
【図３】は本考案の第二の実施形態の支柱埋め込み部である。
【図４】は図３における固定片の配置構成を示す概略図である。
【図５】は本考案の第三の実施形態の支柱埋め込み部である。
【符号の説明】
【００４１】
１      地上部
１１    ガイド部材
２      埋め込み部
２１    孔
３      支柱部材
４      固定片
４１    貫通孔
４１１  孔
５      ボルト
５０    脚
５１    外脚
５２    内脚
５１１  脚
５２２  脚
６      締め付け部材
【図１】
0003110948.tif 000003
【図２】
0003110948.tif 000004
【図３】
0003110948.tif 000005
【図４】
0003110948.tif 000006
【図５】
0003110948.tif 000007